(57)【特許請求の範囲】
【請求項１】
通信端末間での認証処理および登録情報の提供を行う、認証装置であって、
いずれかの通信端末が認証データを送信してきた場合に、送信してきた前記認証データと、予め登録されている登録認証データとを比較して認証を行い、前記認証が成功した場合に、前記認証データを前記情報提供部に受け渡す、認証処理部と、
前記認証データを受け取ると、前記認証データに関連付けられた前記登録情報を抽出し、抽出した前記登録情報を、前記認証処理部に前記認証データを送信してきた通信端末と通信を行う通信端末に送信する、情報提供部と、を備え、
前記認証処理部は、通信が確立されている第一の通信端末および第二の通信端末において、前記第一の通信端末が、前記第二の通信端末に対して登録情報の開示要求を行ったことに対応して、前記第二の通信端末が、前記第一の通信端末を指定して前記認証データを送信してきた場合に、送信してきた前記認証データについて認証を行い、前記認証が成功した場合に、前記認証データを前記情報提供部に受け渡し、
前記情報提供部は、前記認証データを受け取ると、前記認証データに関連付けられた前記登録情報を抽出し、抽出した前記登録情報を、指定された前記第一の通信端末に送信する、
ことを特徴とする認証装置。
【請求項２】
前記情報提供部は、通信端末の利用者毎に前記登録認証データに関連付けられた登録情報を予め保持しており、前記認証データを受け取ると、前記認証データを検索キーとして保持している前記登録情報を検索することにより、前記登録情報を抽出する、
請求項１に記載の認証装置。
【請求項３】
前記認証処理部は、受信側となる通信端末が、受信時において、発信側となる通信端末に対して登録情報の開示要求を行ったことに対応して、前記発信側となる通信端末が、前記受信側となる通信端末を指定して前記認証データを送信してきた場合に、送信してきた前記認証データについて認証を行い、前記認証が成功した場合に、前記認証データを前記情報提供部に受け渡し、
前記情報提供部は、前記認証データを受け取ると、前記認証データに関連付けられた前記登録情報を抽出し、抽出した前記登録情報を、指定された前記受信側となる通信端末に送信する、
請求項１に記載の認証装置
【請求項４】
前記認証処理部は、発信側となる通信端末が、発信時において、受信側となる通信端末を指定して前記認証データを送信してきた場合に、送信してきた前記認証データについて認証を行い、前記認証が成功した場合に、前記認証データを前記情報提供部に受け渡し、
前記情報提供部は、前記認証データを受け取ると、前記認証データに関連付けられた前記登録情報を抽出し、抽出した前記登録情報を、指定された前記受信側となる通信端末に送信する、
請求項１に記載の認証装置。
【請求項５】
通信端末間での認証処理および登録情報の提供を行う、認証システムであって、
いずれかの通信端末が認証データを送信してきた場合に、送信してきた前記認証データと、予め登録されている登録認証データとを比較して認証を行い、前記認証が成功した場合に、前記認証データを前記情報提供サーバに受け渡す、認証サーバと、
前記認証データを受け取ると、前記認証データに関連付けられた前記登録情報を抽出し、抽出した前記登録情報を、前記認証サーバに前記認証データを送信してきた通信端末と通信を行う通信端末に送信する、情報提供サーバと、を備え、
前記認証サーバは、通信が確立されている第一の通信端末および第二の通信端末において、前記第一の通信端末が、前記第二の通信端末に対して登録情報の開示要求を行ったことに対応して、前記第二の通信端末が、前記第一の通信端末を指定して前記認証データを送信してきた場合に、送信してきた前記認証データについて認証を行い、前記認証が成功した場合に、前記認証データを前記情報提供サーバに受け渡し、
前記情報提供サーバは、前記認証データを受け取ると、前記認証データに関連付けられた前記登録情報を抽出し、抽出した前記登録情報を、指定された前記第一の通信端末に送信する、
ことを特徴とする認証システム。
【請求項６】
通信端末間での認証および登録情報の提供を行うための方法であって、
（ａ）コンピュータによって、いずれかの通信端末が認証データを送信してきた場合に、送信してきた前記認証データと、予め登録されている登録認証データとを比較して認証を行うステップと、
（ｂ）前記コンピュータによって、前記認証が成功した場合に、前記認証データに関連付けられた前記登録情報を抽出するステップと、
（ｃ）前記コンピュータによって、抽出した前記登録情報を、前記認証データを送信してきた通信端末と通信を行う通信端末に送信するステップと、
を有し、
前記（ａ）のステップで、通信が確立されている第一の通信端末および第二の通信端末において、前記第一の通信端末が、前記第二の通信端末に対して登録情報の開示要求を行ったことに対応して、前記第二の通信端末が、前記第一の通信端末を指定して前記認証データを送信してきた場合に、送信してきた前記認証データについて認証を行い、
前記（ｃ）のステップで、抽出した前記登録情報を、指定された前記第一の通信端末に送信する、
ことを特徴とする認証方法。
【請求項７】
コンピュータによって、通信端末間での認証および登録情報の提供を行うためのプログラムであって、
前記コンピュータに、
（ａ）いずれかの通信端末が認証データを送信してきた場合に、送信してきた前記認証データと、予め登録されている登録認証データとを比較して認証を行うステップと、
（ｂ）前記認証が成功した場合に、前記認証データに関連付けられた前記登録情報を抽出するステップと、
（ｃ）抽出した前記登録情報を、前記認証データを送信してきた通信端末と通信を行う通信端末に送信するステップと、
を実行させ、
前記（ａ）のステップで、通信が確立されている第一の通信端末および第二の通信端末において、前記第一の通信端末が、前記第二の通信端末に対して登録情報の開示要求を行ったことに対応して、前記第二の通信端末が、前記第一の通信端末を指定して前記認証データを送信してきた場合に、送信してきた前記認証データについて認証を行い、
前記（ｃ）のステップで、抽出した前記登録情報を、指定された前記第一の通信端末に送信する、プログラム。
【発明の詳細な説明】
【技術分野】
【０００１】
本発明は、認証装置、認証システム、認証方法、およびプログラムに関し、特に、通話者の同一性を識別するための、認証装置、認証システム、認証方法、およびプログラムに関する。
【背景技術】
【０００２】
電話における発信者を特定するために、アナログ回線およびアナログ交換機を介して発信者の電話番号を受信者の電話端末に表示するシステムが特許文献１に開示されている。
【０００３】
特許文献１に開示されているシステムにより、受信者は、受信者が利用する電話機において発信者の電話番号を確認できるようになった。しかしながら、たとえば、受信者が利用する電話機において初めてかかってきた電話番号の場合、受信者は、受信者が利用する電話機において表示される電話番号だけで発信者を信頼できるかどうか判断することは難しい。
【０００４】
さらに、詐欺目的の発信者が、既存の信用できる会社名などを名乗った場合、または、発信者が、電話で注文を受け付ける店または企業に対していたずら目的のために他人に成りすまして虚偽の発注を行う場合において、受信者は、電話番号のみでは発信者を検証することは困難である。
【０００５】
したがって、特許文献１に開示されているシステムでは、受信者が利用する電話機において発信者の電話番号のみ表示されるため、受信者が、信頼できる発信者かどうか判断できないという問題があった。
【０００６】
上記の問題に対して特許文献２は、成りすまし電話を防止するためのシステムを開示している。すなわち、成りすまし電話を防止するためのシステムを構成する認証装置は、認証要求を受けると、送信者の認証情報を受け付けた送信側電話装置から送信者に関する認証情報を取得し、認証ＤＢ（データベース）を利用することにより送信者に関する認証情報を認証する。続いて、認証装置は、受信側電話装置に対して認証結果を送信する。この結果、受信側電話装置は、認証装置より受け取った認証結果を受信者に報知するので、受信者は、上記問題を解決できる。
【先行技術文献】
【特許文献】
【０００７】
【特許文献１】特開平４−２６３５５０号公報
【特許文献２】特開２００７−２５８９５４号公報
【発明の概要】
【発明が解決しようとする課題】
【０００８】
特許文献２に開示されたシステムは、認証された発信者に関する個人情報を、受信者が利用する電話機において表示させることができる。しかしながら、上記システムは、認証された受信者に関する個人情報を発信者が利用する電話機において表示させることはできない。
【０００９】
たとえば、発信者としての法人が、セールスのために家庭における電話機に対して電話をかけたとき、受信者が、未成年の子供であるという場合がある。未成年の子供が興味本位に契約を進めてしまうことを防ぐために、発信者は、受信者がどのような人物であるか確認する必要がある。
【００１０】
しかしながら、特許文献２に開示されたシステムは、認証された受信者に関する個人情報を発信者が利用する電話機において表示させることができないため、発信者は、受信者がどのような人物であるか確認することができないという問題が発生する。
【００１１】
本発明の目的の一例は、上記問題を解消し、発信者に加えて、受信者も通信相手に対して自己の個人情報を相手に開示できるようにし得る、認証装置、認証システム、認証方法、およびプログラムを提供することにある。
【課題を解決するための手段】
【００１２】
上記目的を達成するため、本発明の一側面における認証装置は、通信端末間での認証処理および登録情報の提供を行う、認証装置であって、
認証処理部と、情報提供部と、を備え、
前記認証処理部は、いずれかの通信端末が認証データを送信してきた場合に、送信してきた前記認証データと、予め登録されている登録認証データとを比較して認証を行い、前記認証が成功した場合に、前記認証データを前記情報提供部に受け渡し、
前記情報提供部は、前記認証データを受け取ると、前記認証データに関連付けられた前記登録情報を抽出し、抽出した前記登録情報を、前記認証処理部に前記認証データを送信してきた通信端末と通信を行う通信端末に送信する、ことを特徴とする。
【００１３】
また、上記目的を達成するため、本発明の一側面における認証システムは、通信端末間での認証処理および登録情報の提供を行う、認証システムであって、
認証サーバと情報提供サーバと、を備え、
前記認証サーバは、いずれかの通信端末が認証データを送信してきた場合に、送信してきた前記認証データと、予め登録されている登録認証データとを比較して認証を行い、前記認証が成功した場合に、前記認証データを前記情報提供サーバに受け渡し、
前記情報提供サーバは、前記認証データを受け取ると、前記認証データに関連付けられた前記登録情報を抽出し、抽出した前記登録情報を、前記認証サーバに前記認証データを送信してきた通信端末と通信を行う通信端末に送信する、ことを特徴とする。
【００１４】
また、上記目的を達成するため、本発明の一側面における認証方法は、通信端末間での認証および登録情報の提供を行うための方法であって、
（ａ）いずれかの通信端末が認証データを送信してきた場合に、送信してきた前記認証データと、予め登録されている登録認証データとを比較して認証を行うステップと、
（ｂ）前記認証が成功した場合に、前記認証データに関連付けられた前記登録情報を抽出するステップと、
（ｃ）抽出した前記登録情報を、前記認証データを送信してきた通信端末と通信を行う通信端末に送信するステップと、を有することを特徴とする。
【００１５】
更に、上記目的を達成するため、本発明の一側面におけるプログラムは、コンピュータによって、通信端末間での認証および登録情報の提供を行うためのプログラムであって、
前記コンピュータに、
（ａ）いずれかの通信端末が認証データを送信してきた場合に、送信してきた前記認証データと、予め登録されている登録認証データとを比較して認証を行うステップと、
（ｂ）前記認証が成功した場合に、前記認証データに関連付けられた前記登録情報を抽出するステップと、
（ｃ）抽出した前記登録情報を、前記認証データを送信してきた通信端末と通信を行う通信端末に送信するステップと、を実行させることを特徴とする。
【発明の効果】
【００１６】
以上のように本発明における認証装置、認証システム、認証方法、およびプログラムによれば、発信者に加えて、受信者も自己の個人情報を通信相手に対して開示することができる。
【図面の簡単な説明】
【００１７】
【図１】図１は、本発明の実施の形態における認証装置の構成を示すブロック図である。
【図２】図２は、本発明の実施の形態における通信端末の構成を示すブロック図である。
【図３】図３は、本発明の実施の形態１における通信端末および認証装置の動作を示すシーケンス図である。
【図４】図４は、本発明の実施の形態における認証システムの全体構成を示すブロック図である。
【図５】図５は、本発明の実施の形態２における通信端末および認証装置の動作を示すシーケンス図である。
【図６】図６は、本発明の実施の形態３における通信端末および認証装置の動作を示すシーケンス図である。
【図７】図７は、本発明の実施の形態１〜３における認証装置を実現するコンピュータの一例を示すブロック図である。
【発明を実施するための形態】
【００１８】
（実施の形態１）
以下、本発明の実施の形態１における認証装置、認証システム、認証方法、およびプログラムについて、図１から図４を参照しながら説明する。
【００１９】
［認証装置の構成］
最初に、図１を用いて、本実施の形態１における認証装置１０１の構成について説明する。図１は、本発明の実施の形態１における認証装置の構成を示すブロック図である。
【００２０】
図１に示すように、本実施の形態１における認証装置１０１は、通信端末間での認証処理および登録情報の提供を行う装置であり、認証処理部１０２と、情報提供部１０３とを備えている。
【００２１】
認証処理部１０２は、いずれかの通信端末が認証データを送信してきた場合に、送信してきた認証データと、予め登録されている登録認証データとを比較して認証を行い、認証が成功した場合に、送信されてきた認証データを情報提供部１０３に受け渡す。
【００２２】
情報提供部１０３は、認証データを受け取ると、認証データに関連付けられた登録情報を抽出し、抽出した登録情報を、認証処理部１０２に認証データを送信してきた通信端末と通信を行う通信端末に送信する。
【００２３】
このように、本実施の形態１では、発信側および受信側の区別なく、登録情報の開示要求があった場合は、要求元の通信先に登録情報を送信できる。よって、本実施の形態１によれば、発信者に加えて、受信者も自己の登録情報を通信相手に対して開示することができる。
【００２４】
ここで、図１および図２を用いて、本実施の形態１における認証装置の構成についてさらに具体的に説明する。図１に示すように、本実施の形態１では、認証装置１０１は、通信端末１０４および通信端末１０５とネットワーク１０６を介して接続している。
【００２５】
また、認証装置１０１は、たとえば、サーバコンピュータである。また、認証処理部１０２または情報提供部１０３は、仮想化技術によりサーバコンピュータ内に構築された仮想サーバであってもよい。
【００２６】
認証処理部１０２は、本実施の形態１では、通信端末１０４または通信端末１０５が、ネットワーク１０６および認証装置１０１を介して認証データを送信してきた場合に、送信してきた認証データを受信する。また、認証処理部１０２は、本実施の形態１では、登録情報の送信先である通信端末を指定するための情報についても受信する。更に、認証処理部１０２は、本実施の形態１では、認証が成功した場合に、認証データとともに登録情報の送信先である通信端末を指定するための情報を情報提供部１０３に受け渡す。
【００２７】
本実施の形態１において、認証データとしては、ユーザＩＤ（個体識別）、パスワード、指紋に代表される生体情報、または電子署名などが挙げられる。また、通信端末を指定するための情報としては、電話番号、ＩＰ（インターネットプロトコル）アドレス、ＭＡＣアドレスなどが挙げられる。
【００２８】
情報提供部１０３は、本実施の形態１では、通信端末の利用者毎に、登録認証データに関連付けられた登録情報を予め保持している。情報提供部１０３は、認証処理部１０２より認証データを受け取ると、受け取った認証データを検索キーとして、保持している登録情報を検索することにより、受け取った認証データに関連付けられた登録情報を抽出する。
【００２９】
情報提供部１０３は、本実施の形態１では、認証処理部１０２より受け取った、登録情報の送信先である通信端末を指定するための情報に基き、抽出した登録情報を認証装置１０１およびネットワーク１０６を介して該当する通信端末に対して送信する。
【００３０】
本実施の形態１において、登録情報としては、認証を受ける通話者に関する住所、氏名および生年月日といった個人情報、認証を受ける通話者が所属する企業に関する住所および法人名といった法人情報などが挙げられる。
【００３１】
［通信端末の構成］
ここで、本実施の形態１における通信端末について図２を用いて説明する。図２は、本発明の実施の形態における通信端末の構成を示すブロック図である。まず、本実施の形態１において、通信端末としては、一般電話または携帯電話が挙げられる。よって、以降の説明では、一般電話および携帯電話を含む電話機の構成について説明する。なお、通信端末１０４と通信端末１０５とは、同一の構成を備えているため、通信端末１０４を例にあげて説明する。
【００３２】
図２に示すように、本実施の形態１における通信端末１０４は、通話者が操作する装置であり、通信部２０１と、制御部２０２と、入力部２０３と、ディスプレイ２０４とを備えている。
【００３３】
具体的には、入力部２０３としては、キーボード、ポインティングデバイス、タッチパネル、などの入力機器が挙げられる。また、ディスプレイ２０４としては、液晶ディスプレイ、有機ＥＬディスプレイなどの表示装置が挙げられる。
【００３４】
通信部２０１は、ネットワーク１０６を介して外部と通信を行うための通信モジュールであり、通信端末１０４は、通信部を経由して他の通信端末および認証装置１０１と接続する。
【００３５】
制御部２０２は、入力部２０３を介した通話者による操作に応じて、他の通信端末および認証装置１０１との通信に必要な処理を行う。また、制御部２０２は、処理内容に応じてディスプレイ２０４にメッセージなどの情報を表示させる。
【００３６】
たとえば、制御部２０２は、入力部２０３を介して発信者が行った電話番号入力操作および発信操作に応じて、入力された電話番号で指定された通信端末に対して発信信号を送信する。また、発信先の通信端末では、制御部２０２が、発信信号を受信したことを契機として着信処理を行う。
【００３７】
また、たとえば、制御部２０２は、入力部２０３を介して通話者が行った通信相手の登録情報の開示要求操作または自己の登録情報の開示操作といった、登録情報の開示に関する操作に応じる。
【００３８】
この場合、制御部２０２は、登録情報の開示に関する操作を、発信前、発信中、受信中、および通話中の、いずれのタイミングにおいても応じることができる。この際、制御部２０２は、発信、受信、および通話といった通信に関わる制御をすべて保留し、ディスプレイ２０４に、状況に応じたメッセージを表示させる。
【００３９】
具体的なメッセージとしては、入力部２０３において通話者が通信相手の登録情報の開示要求操作を行うと、制御部２０２は、通信相手の登録情報を要求している旨のメッセージをディスプレイ２０４に表示させる。
【００４０】
一方、登録情報の開示を要求された側の通信端末では、制御部２０２は、通信相手が登録情報の表示を要求してきた旨のメッセージをディスプレイ２０４に表示させる。更に続けて、制御部２０２は、「登録情報の開示要求に同意する」または「登録情報の開示要求に同意しない」についての選択を通話者に求める画面をディスプレイ２０４に表示させる。
【００４１】
この場合、通話者が登録情報の開示要求に同意して、入力部２０３において通話者が自己の登録情報の開示操作を行った際に、制御部２０２は、認証データの入力を促すメッセージをディスプレイ２０４に表示させる。
【００４２】
更に、入力部２０３において通話者による認証データの入力がなされると、制御部は、入力部２０３を介して発信者が行った認証データの入力操作に応じて、入力された認証データを認証装置１０１に対して送信する。
【００４３】
一方、認証が成功して認証装置１０１から登録情報が送信されてきた通信端末では、制御部２０２は、送信された登録情報をディスプレイ２０４に表示させ、通話者に通話相手に関する登録情報を提示する。
【００４４】
［認証装置の動作］
次に、本実施の形態１における認証装置１０１の動作について図３を用いて説明する。また、本実施の形態１では、認証装置１０１を動作させることによって、認証方法が実施される。よって、本実施の形態１における認証方法の説明は、以下の認証装置１０１の動作説明に代える。
【００４５】
まず、本実施の形態１では、たとえば、受信側となる通信端末１０５が、受信時において、発信側となる通信端末１０４に対して登録情報の開示要求を行うとする。そして、発信側となる通信端末１０４は、受信側となる通信端末１０５を指定して認証データを認証装置１０１に対して送信する。認証装置１０１は、送信してきた認証データを認証し、認証が成功した場合、指定された受信側となる通信端末１０５に登録情報を提供する。
【００４６】
この場合における、通信端末および認証装置１０１の動作について図３を用いて説明する。図３は、本実施の形態１における通信端末および認証装置１０１の動作を示すシーケンス図である。以下の説明においては、適宜図１および図２を参酌する。
【００４７】
また、以降の説明において、発信者が利用する発信側となる通信端末１０４を発信端末１０４と表記し、受信者が利用する受信側となる通信端末１０５を受信端末１０５と表記する。
【００４８】
図３に示すように、まず、発信端末１０４は、受信端末１０５に対して発信処理を行う（ステップＡ１）。具体的には、発信端末１０４における制御部２０２は、発信者が入力部２０３において入力した受信端末１０５の電話番号を基に、受信端末１０５に対して発信信号を送る。
【００４９】
次に、ステップＡ１が実行されると、受信端末１０５における制御部２０２は、発信端末１０４からの発信信号を受信した後、着信処理を行う（ステップＡ２）。この場合、発信者は、自己の登録情報の開示操作を行わずに発信したので、受信端末１０５におけるディスプレイ２０４には、発信者の登録情報が表示されない。したがって、この際、受信者は、発信者についての情報は一切得られない状況にある。
【００５０】
このため、上記の状況にある受信者は、通話を受け入れる前に、受信端末１０５における入力部２０３を介して、発信者の登録情報を得るため通信相手の登録情報の開示を要求する操作を行う。この操作に応じて、制御部２０２は、発信端末１０４に対して登録情報の開示要求を送信する（ステップＡ３）。
【００５１】
次に、ステップＡ３が実行されると、発信端末１０４における制御部２０２は、受信端末１０５から登録情報の開示要求を受信し、登録情報の開示要求が行われたことをディスプレイ２０４に表示させる。発信者は、受信者による登録情報の開示要求に同意する場合、入力部２０３において自己の登録情報の開示操作を行う（ステップＡ４）。
【００５２】
次に、発信端末１０４における入力部２０３は、発信者から、発信者のみが知っている認証データの入力を受け付ける（ステップＡ５）。また、発信者は、受信者による登録情報の開示要求に同意しない場合、入力部２０３において発信の停止操作を行う。この場合、発信端末１０４における制御部２０２は、入力部２０３において発信者が行った発信の停止操作に応じて、受信端末１０５に対する発信を中止する。
【００５３】
ステップＡ５が実行されると、発信端末１０４における制御部２０２は、入力部２０３より受け付けた認証データを、認証装置１０１における認証処理部１０２へ送信する（ステップＡ６）。また、本実施の形態１では、発信端末１０４における制御部２０２は、登録情報の送信先として、受信端末１０５の電話番号を認証装置１０１における認証処理部１０２へ送信する。
【００５４】
次に、認証処理部１０２は、発信端末１０４が送信してきた認証データと、予め登録されている登録認証データとを比較して認証を行う（ステップＡ７）。認証が失敗した場合、認証処理部１０２は、認証が失敗した旨を発信端末１０４に通知しても良い。
【００５５】
認証が成功した場合、認証処理部１０２は、発信端末１０４が送信してきた認証データを情報提供部１０３へ受け渡す（ステップＡ８）。また、本実施の形態１では、認証処理部１０２は、登録情報の送信先である受信端末１０５の電話番号も情報提供部１０３へ受け渡す。
【００５６】
次に、ステップＡ８が実行されると、情報提供部１０３は、認証データを受け取り、発信者に関する登録情報を抽出する（ステップＡ９）。具体的には、本実施の形態１において、情報提供部１０３は、通信端末の利用者毎に保持している登録認証データに関連付けられた登録情報を、データベース（図１および図３において図示せず）に格納する。そして、情報提供部１０３は、受け取った認証データを検索キーとして、データベースに格納された登録情報を検索することにより、発信者に関する登録情報を抽出する。
【００５７】
次に、情報提供部１０３は、抽出した発信者に関する登録情報を、認証処理部１０２から受け取った受信端末１０５の電話番号により指定される受信端末１０５へ送信する（ステップＡ１０）。ステップＡ１０が実行されると、受信端末１０５における制御部２０２は、登録情報を受信し、続いて、受信した登録情報をディスプレイ２０４に表示させる。
【００５８】
次に、受信者が、受信端末１０５におけるディスプレイ２０４に表示された、個人情報または法人情報といった発信者についての登録情報を確認する。受信者が、発信者の登録情報を確認した上で通話の受け入れ操作を行うと、受信端末１０５における制御部２０２は、発信端末１０４との通話を可能にする（ステップＡ１１）。以上により、受信者が、受信時において、送信者に対して登録情報の開示要求を行ったときの、認証装置１０１における認証処理および登録情報の提供処理が終了する。
【００５９】
［実施の形態１における効果］
以上のように本実施の形態１では、受信者が、受信時において、発信者の個人情報または法人情報といった登録情報を要求すると、受信者が使用する通信端末に登録情報が表示される。このため受信者は、発信者が信頼できる人物かどうか判断するための情報を得ることができるため、本実施の形態１によれば、電話における詐欺被害を減らすことができる。
【００６０】
また、本実施の形態１におけるプログラムは、コンピュータに、図３に示すステップＡ７〜Ａ１０を実行させるプログラムであれば良い。このプログラムをコンピュータにインストールし、実行することによって、本実施の形態１における認証装置と認証方法とを実現することができる。この場合、コンピュータのＣＰＵ（Central Processing Unit）は、認証処理部１０２及び情報提供部１０３として機能し、処理を行なう。また、本実施の形態１では、登録認証データおよび登録情報は、コンピュータに備えられたハードディスク等の記憶装置に格納されていればよい。
【００６１】
［認証システム］
まず、図４を用いて、本実施の形態１における認証システム４０１の構成について説明する。図４は、本発明の実施の形態１における認証システムの全体構成を示すブロック図である。
【００６２】
図４に示すように、本実施の形態１における認証システム４０１は、通信端末間での認証処理および登録情報の提供を行うシステムであり、認証サーバ４０２と、情報提供サーバ４０３と、通信端末１０４と、通信端末１０５と、を備えている。また、認証サーバ４０２と、情報提供サーバ４０３と、通信端末１０４と、通信端末１０５とは、インターネットなどのネットワーク１０６を介して接続されている。
【００６３】
図４の例では、図１に示した認証装置１０１の代わりに、認証サーバ４０２と情報提供サーバ４０３とが用いられている。認証サーバ４０２は、図１に示した認証処理部１０２と同様に機能する。また、情報提供サーバ４０３は、図１に示した情報提供部１０３と同様に機能する。なお、図４に示した通信端末１０４および通信端末１０５は、図１に示した通信端末１０４および通信端末１０５と同様のものである。したがって、本実施の形態１における認証システム４０１の構成は、認証処理部１０２と情報提供部１０３とを、認証サーバ４０２と情報提供サーバ４０３とに、各々読み替えた上で、図１に示した認証装置１０１の構成と、図２に示した通信端末１０４および通信端末１０５の構成とを参照することにより説明される。
【００６４】
（実施の形態２）
以下、本発明の実施の形態２における認証装置、認証システム、認証方法、およびプログラムについて、図１、図２、図４および図５を参照しながら説明する。
【００６５】
［認証装置の構成］
本実施の形態２における認証装置は、実施の形態１において図１に示した認証装置１０１と同様の構成を備え、通信端末１０４及び通信端末１０５と通信を行なう。但し、本実施の形態２では、認証処理部に認証データを送信する通信端末が、実施の形態１と異なっている。以下、実施の形態１との相違点を中心に、本実施の形態２における認証装置の動作について説明する。
【００６６】
［認証装置の動作］
次に、本実施の形態２における認証装置の動作について図５を用いて説明する。また、本実施の形態２では、認証装置を動作させることによって、認証方法が実施される。よって、本実施の形態２における認証方法の説明は、以下の認証装置の動作説明に代える。
【００６７】
まず、本実施の形態２では、たとえば、発信側となる通信端末１０４が、発信時において、受信側となる通信端末１０５に対して自己の登録情報の開示を行うとする。そして、発信側となる通信端末１０４は、受信側となる通信端末１０５を指定して認証データを本実施の形態２における認証装置に対して送信する。本実施の形態２における認証装置は、送信してきた認証データを認証し、認証が成功した場合、指定された受信側となる通信端末１０５に登録情報を提供する。
【００６８】
この場合における、通信端末および本実施の形態２における認証装置の動作について図５を用いて説明する。図５は、本実施の形態２における通信端末および認証装置の動作を示すシーケンス図である。以下の説明においては、適宜図１および図２を参酌する。
【００６９】
また、以降の説明において、発信者が利用する発信側となる通信端末１０４を発信端末１０４と表記し、受信者が利用する受信側となる通信端末１０５を受信端末１０５と表記する。
【００７０】
図５に示すように、まず、発信時において、発信者の登録情報を受信端末１０５に対して開示するために、発信端末１０４における制御部２０２は、入力部２０３が受け付けた発信者による自己の登録情報の開示操作に応じる（ステップＢ１）。
【００７１】
続いて、発信端末１０４における制御部２０２は、入力部２０３が受け付けた発信者による発信操作に応じて、発信処理を行う（ステップＢ２）。具体的には、制御部２０２は、入力部２０３を介して発信者が行った電話番号入力操作および発信操作に応じる。この場合、発信者によって発信時に自己の登録情報の開示操作が行われたので、発信端末１０４における制御部２０２は、発信信号を送信する前に認証データの入力を促すメッセージをディスプレイ２０４に表示させる。
【００７２】
次に、発信端末１０４における入力部２０３は、発信者から、発信者のみが知っている認証データの入力を受け付ける（ステップＢ３）。
【００７３】
ステップＢ３が実行されると、発信端末１０４における制御部２０２は、入力部２０３より受け付けた認証データを、認証装置１０１における認証処理部１０２へ送信する（ステップＢ４）。また、本実施の形態２ではステップＢ４において、発信端末１０４における制御部２０２は、登録情報の送信先として、受信端末１０５の電話番号を認証装置１０１における認証処理部１０２へ送信する。
【００７４】
ステップＢ４が実行されると、認証処理部１０２は、発信端末１０４が送信してきた認証データと、予め登録されている登録認証データとを比較して認証を行なう（ステップＢ５）。次に、認証処理部１０２は、認証が成功した場合は、発信端末１０４が送信してきた認証データを情報提供部１０３に受け渡す（ステップＢ６）。また、本実施の形態２では、ステップＢ６において、認証処理部１０２は、登録情報の送信先である受信端末１０５の電話番号も情報提供部１０３へ受け渡す。なお、ステップＢ５およびステップＢ６は、実施の形態１において図３に示したステップＡ７およびＡ８に準じて実行されるステップである。
【００７５】
次に、ステップＢ６が実行されると、情報提供部１０３は、認証データを受け取り、発信者に関する登録情報を抽出する（ステップＢ７）。次に、情報提供部１０３は、抽出した発信者に関する登録情報を、認証処理部１０２から受け取った受信端末１０５の電話番号により指定される受信端末１０５へ送信する（ステップＢ８）。なお、ステップＢ７およびステップＢ８は、実施の形態１において図３に示したステップＡ９およびＡ１０に準じて実行されるステップである。
【００７６】
次に、ステップＢ８が実行されると、情報提供部１０３から登録情報が送信された受信端末１０５では、制御部２０２は、受信した登録情報をディスプレイ２０４に表示させ、同時に、着信処理を行う（ステップＢ９）。
【００７７】
次に、受信者が、受信端末１０５におけるディスプレイ２０４に着信と同時に表示された、個人情報または法人情報といった発信者についての登録情報を確認する。受信者が、登録情報を確認した上で、通話の受け入れ操作を行うと、受信端末１０５における制御部２０２は、発信端末１０４と通話を可能にする（ステップＢ１０）。以上により、発信者が、発信時において、受信者に対して自己の登録情報の開示を行ったときの、認証装置１０１における認証処理および登録情報の提供処理が終了する。
【００７８】
［実施の形態２における効果］
以上のように本実施の形態２では、発信者が、発信時において、自己の個人情報または法人情報といった登録情報の開示を行うと、受信者が使用する通信端末に着信と同時に登録情報が表示される。このため受信者は、発信者が信頼できる人物かどうか判断するための情報を着信時に得ることができる。よって、本実施の形態２によれば、営業活動といった正当なビジネスをしようとする企業の社員が個人に対して電話をかける場合などに、企業の社員は、企業の法人名を明らかにすることにより個人を安心させ、商談を進めることができる。
【００７９】
また、本実施の形態２におけるプログラムは、コンピュータに、図５に示すステップＢ５〜Ｂ８を実行させるプログラムであれば良い。このプログラムをコンピュータにインストールし、実行することによって、本実施の形態２における認証装置と認証方法とを実現することができる。この場合、コンピュータのＣＰＵ（Central Processing Unit）は、認証処理部及び情報提供部として機能し、処理を行なう。また、本実施の形態２では、登録認証データおよび登録情報は、コンピュータに備えられたハードディスク等の記憶装置に格納されていればよい。
【００８０】
また、本実施の形態２においても、実施の形態１と同様に、認証装置の代わりに、認証サーバと、情報提供サーバとが用いられても良い。この場合は、本実施の形態２における認証システムが構築される。
【００８１】
（実施の形態３）
以下、本発明の実施の形態３における認証装置、認証システム、認証方法、およびプログラムについて、図１、図２、図４および図６を参照しながら説明する。
【００８２】
［認証装置の構成］
本実施の形態３における認証装置は、実施の形態１において図１に示した認証装置１０１と同様の構成を備え、通信端末１０４及び通信端末１０５と通信を行なう。但し、本実施の形態３では、認証処理部に認証データを送信する通信端末が、実施の形態１と異なっている。以下、実施の形態１との相違点を中心に、本実施の形態３における認証装置の動作について説明する。
【００８３】
［認証装置の動作］
次に、本実施の形態３における認証装置の動作について図６を用いて説明する。また、本実施の形態３では、認証装置を動作させることによって、認証方法が実施される。よって、本実施の形態３における認証方法の説明は、以下の認証装置の動作説明に代える。
【００８４】
まず、本実施の形態３では、たとえば、通信が確立されている通信端末１０４と通信端末１０５とにおいて、通信端末１０５が、通信端末１０４に対して登録情報の開示要求を行うとする。そして、通信端末１０４は、通信端末１０５を指定して認証データを、本実施の形態３における認証装置に対して送信する。本実施の形態３における認証装置は、送信してきた認証データを認証し、認証が成功した場合、指定された通信端末１０５に登録情報を提供する。
【００８５】
この場合における、通信端末および本実施の形態３における認証装置の動作について図６を用いて説明する。図６は、本実施の形態３における通信端末および認証装置の動作を示すシーケンス図である。以下の説明においては、適宜図１および図２を参酌する。
【００８６】
また、以降の説明において、第一通話者が利用する通信端末１０４を第一端末１０４と表記し、第二通話者が利用する通信端末１０５を第二端末１０５と表記する。
【００８７】
図６に示すように、まず、第一通話者と第二通話者とが通話を行っている最中において、第二通話者は、第一通話者の登録情報を得るために、第二端末１０５の入力部２０３において、通信相手の登録情報の開示を要求する操作を行う。この操作に応じて、第二端末１０５における制御部２０２は、第一端末１０４との通話を保留し、第一端末１０４に対して登録情報の開示要求を送信する（ステップＣ１）。
【００８８】
次に、ステップＣ１が実行されると、第一端末１０４における制御部２０２は、第二端末１０５から登録情報の開示要求を受信し、登録情報の開示要求が行われたことを画面に表示させる。第一通話者は、第二通話者による登録情報の開示要求に同意する場合、入力部２０３において自己の登録情報の開示操作を行う（ステップＣ２）。
【００８９】
次に、第一端末１０４における入力部２０３は、第一通話者から、第一通話者のみが知っている認証データの入力を受け付ける（ステップＣ３）。また、第一通話者は、第二通話者による登録情報の開示要求に同意しない場合、入力部２０３において通話の停止操作を行う。この場合、第一端末１０４における制御部２０２は、入力部２０３において第一通話者が行った通話の停止操作に応じて、第二端末１０５との通話を中止する。
【００９０】
ステップＣ３が実行されると、第一端末１０４における制御部２０２は、入力部２０３より受け付けた認証データを、認証装置１０１における認証処理部１０２へ送信する（ステップＣ４）。また、本実施の形態３ではステップＣ４において、第一端末１０４における制御部２０２は、登録情報の送信先として、第二端末１０５の電話番号を認証装置１０１における認証処理部１０２へ送信する。
【００９１】
ステップＣ４が実行されると、認証処理部１０２は、第一端末１０４が送信してきた認証データと、予め登録されている登録認証データとを比較して認証を行なう（ステップＣ５）。次に、認証処理部１０２は、認証が成功した場合は、第一端末１０４が送信してきた認証データを情報提供部１０３に受け渡す（ステップＣ６）。また、本実施の形態３では、ステップＣ６において、認証処理部１０２は、登録情報の送信先である第二端末１０５の電話番号も情報提供部１０３へ受け渡す。なお、ステップＣ５およびステップＣ６は、実施の形態１において図３に示したステップＡ７およびＡ８に準じて実行されるステップである。
【００９２】
次に、ステップＣ６が実行されると、情報提供部１０３は、認証データを受け取り、第一通話者に関する登録情報を抽出する（ステップＣ７）。次に、情報提供部１０３は、抽出した第一通話者に関する登録情報を、認証処理部１０２から受け取った第二端末１０５の電話番号により指定される第二端末１０５へ送信する（ステップＣ８）。なお、ステップＣ７およびステップＣ８は、実施の形態１において図３に示したステップＡ９およびＡ１０に準じて実行されるステップである。
【００９３】
次に、ステップＣ８が実行されると、第二端末１０５における制御部２０２は、登録情報を受信し、続いて、受信した登録情報をディスプレイ２０４に表示させる。そして、第二通話者が、第二端末１０５におけるディスプレイ２０４に表示された、個人情報または法人情報といった第一通話者についての登録情報を確認する。第二通話者が、登録情報を確認した上で、通話の受け入れ操作を行うと、第二端末１０５における制御部２０２は、第一端末１０４との通話を再開する（ステップＣ９）。以上により、第二通話者が、第一通話者と通話を行っている際に、第一通話者に対して登録情報の開示要求を行ったときの、認証装置１０１における認証処理および登録情報の提供処理が終了する。
【００９４】
［実施の形態３における効果］
以上のように本実施の形態３では、第二通話者が、第一通話者と通話を行っている際に、第一通話者の個人情報または法人情報といった登録情報を要求すると、第二通話者が使用する通信端末に登録情報が表示される。このため第二通話者は、第一通話者が信頼できる人物かどうか判断するための情報を通話中に得ることができる。よって、本実施の形態３によれば、企業の販売員が、家庭の電話機に電話をかけてセールス活動を行っている最中に、企業の販売員が、契約などで必要となるセールス相手の個人情報または法人情報を、通話中いつでも確認することができる。そして、企業の販売員は、個人情報を確認することにより、無効となり得る未成年者などとの契約をまた逆に、未然に防ぐことができる。
【００９５】
また、本実施の形態３におけるプログラムは、コンピュータに、図６に示すステップＣ５〜Ｃ８を実行させるプログラムであれば良い。このプログラムをコンピュータにインストールし、実行することによって、本実施の形態３における認証装置と認証方法とを実現することができる。この場合、コンピュータのＣＰＵ（Central Processing Unit）は、認証処理部及び情報提供部として機能し、処理を行なう。また、本実施の形態３では、登録認証データおよび登録情報は、コンピュータに備えられたハードディスク等の記憶装置に格納されていればよい。
【００９６】
また、本実施の形態３においても、実施の形態１と同様に、認証装置の代わりに、認証サーバと、情報提供サーバとが用いられても良い。この場合は、本実施の形態３における認証システムが構築される。
【００９７】
ここで、実施の形態１〜３におけるプログラムを実行することによって、実施の形態１〜３における認証装置を実現するコンピュータについて図７を用いて説明する。図７は、本発明の実施の形態１〜３における認証装置を実現するコンピュータの一例を示すブロック図である。
【００９８】
図７に示すように、コンピュータ１１０は、ＣＰＵ１１１と、メインメモリ１１２と、記憶装置１１３と、入力インターフェイス１１４と、表示コントローラ１１５と、データリーダ／ライタ１１６と、通信インターフェイス１１７とを備える。これらの各部は、バス１２１を介して、互いにデータ通信可能に接続される。
【００９９】
ＣＰＵ１１１は、記憶装置１１３に格納された、本実施の形態１〜３におけるプログラム（コード）をメインメモリ１１２に展開し、これらを所定順序で実行することにより、各種の演算を実施する。メインメモリ１１２は、典型的には、ＤＲＡＭ（Dynamic Random Access Memory）等の揮発性の記憶装置である。また、本実施の形態１〜３におけるプログラムは、コンピュータ読み取り可能な記録媒体１２０に格納された状態で提供される。なお、本実施の形態１〜３におけるプログラムは、通信インターフェイス１１７を介して接続されたインターネット上で流通するものであっても良い。
【０１００】
また、記憶装置１１３の具体例としては、ハードディスクの他、フラッシュメモリ等の半導体記憶装置が挙げられる。入力インターフェイス１１４は、ＣＰＵ１１１と、キーボード及びマウスといった入力機器１１８との間のデータ伝送を仲介する。表示コントローラ１１５は、ディスプレイ装置１１９と接続され、ディスプレイ装置１１９での表示を制御する。データリーダ／ライタ１１６は、ＣＰＵ１１１と記録媒体１２０との間のデータ伝送を仲介し、記録媒体１２０からのプログラムの読み出し、及びコンピュータ１１０における処理結果の記録媒体１２０への書き込みを実行する。通信インターフェイス１１７は、ＣＰＵ１１１と、他のコンピュータとの間のデータ伝送を仲介する。
【０１０１】
また、記録媒体１２０の具体例としては、ＣＦ（Compact Flash）及びＳＤ（Secure Digital）等の汎用的な半導体記憶デバイス、フレキシブルディスク（Flexible Disk）等の磁気記憶媒体、又はＣＤ−ＲＯＭ（Compact Disk Read Only Memory）などの光学記憶媒体が挙げられる。
【０１０２】
上述した実施の形態の一部又は全部は、以下に記載する（付記１）〜（付記２０）によって表現することができるが、以下の記載に限定されるものではない。
【０１０３】
（付記１）
通信端末間での認証処理および登録情報の提供を行う、認証装置であって、
認証処理部と、情報提供部と、を備え、
前記認証処理部は、いずれかの通信端末が認証データを送信してきた場合に、送信してきた前記認証データと、予め登録されている登録認証データとを比較して認証を行い、前記認証が成功した場合に、前記認証データを前記情報提供部に受け渡し、
前記情報提供部は、前記認証データを受け取ると、前記認証データに関連付けられた前記登録情報を抽出し、抽出した前記登録情報を、前記認証処理部に前記認証データを送信してきた通信端末と通信を行う通信端末に送信する、
ことを特徴とする認証装置。
【０１０４】
（付記２）
前記情報提供部は、通信端末の利用者毎に前記登録認証データに関連付けられた登録情報を予め保持しており、前記認証データを受け取ると、前記認証データを検索キーとして保持している前記登録情報を検索することにより、前記登録情報を抽出する、
付記１に記載の認証装置。
【０１０５】
（付記３）
前記認証処理部は、受信側となる通信端末が、受信時において、発信側となる通信端末に対して登録情報の開示要求を行ったことに対応して、前記発信側となる通信端末が、前記受信側となる通信端末を指定して前記認証データを送信してきた場合に、送信してきた前記認証データについて認証を行い、前記認証が成功した場合に、前記認証データを前記情報提供部に受け渡し、
前記情報提供部は、前記認証データを受け取ると、前記認証データに関連付けられた前記登録情報を抽出し、抽出した前記登録情報を、指定された前記受信側となる通信端末に送信する、
付記１に記載の認証装置。
【０１０６】
（付記４）
前記認証処理部は、発信側となる通信端末が、発信時において、受信側となる通信端末を指定して前記認証データを送信してきた場合に、送信してきた前記認証データについて認証を行い、前記認証が成功した場合に、前記認証データを前記情報提供部に受け渡し、
前記情報提供部は、前記認証データを受け取ると、前記認証データに関連付けられた前記登録情報を抽出し、抽出した前記登録情報を、指定された前記受信側となる通信端末に送信する、
付記１に記載の認証装置。
【０１０７】
（付記５）
前記認証処理部は、通信が確立されている第一の通信端末および第二の通信端末において、前記第一の通信端末が、前記第二の通信端末に対して登録情報の開示要求を行ったことに対応して、前記第二の通信端末が、前記第一の通信端末を指定して前記認証データを送信してきた場合に、送信してきた前記認証データについて認証を行い、前記認証が成功した場合に、前記認証データを前記情報提供部に受け渡し、
前記情報提供部は、前記認証データを受け取ると、前記認証データに関連付けられた前記登録情報を抽出し、抽出した前記登録情報を、指定された前記第一の通信端末に送信する、
付記１に記載の認証装置。
【０１０８】
（付記６）
通信端末間での認証処理および登録情報の提供を行う、認証システムであって、
認証サーバと情報提供サーバと、を備え、
前記認証サーバは、いずれかの通信端末が認証データを送信してきた場合に、送信してきた前記認証データと、予め登録されている登録認証データとを比較して認証を行い、前記認証が成功した場合に、前記認証データを前記情報提供サーバに受け渡し、
前記情報提供サーバは、前記認証データを受け取ると、前記認証データに関連付けられた前記登録情報を抽出し、抽出した前記登録情報を、前記認証サーバに前記認証データを送信してきた通信端末と通信を行う通信端末に送信する、
ことを特徴とする認証システム。
【０１０９】
（付記７）
前記情報提供サーバは、通信端末の利用者毎に前記登録認証データに関連付けられた登録情報を予め保持しており、前記認証データを受け取ると、前記認証データを検索キーとして保持している前記登録情報を検索することにより、前記登録情報を抽出する、
付記６に記載の認証システム。
【０１１０】
（付記８）
前記認証サーバは、受信側となる通信端末が、受信時において、発信側となる通信端末に対して登録情報の開示要求を行ったことに対応して、前記発信側となる通信端末が、前記受信側となる通信端末を指定して前記認証データを送信してきた場合に、送信してきた前記認証データについて認証を行い、前記認証が成功した場合に、前記認証データを前記情報提供サーバに受け渡し、
前記情報提供サーバは、前記認証データを受け取ると、前記認証データに関連付けられた前記登録情報を抽出し、抽出した前記登録情報を、指定された前記受信側となる通信端末に送信する、
付記６に記載の認証システム。
【０１１１】
（付記９）
前記認証サーバは、発信側となる通信端末が、発信時において、受信側となる通信端末を指定して前記認証データを送信してきた場合に、送信してきた前記認証データについて認証を行い、前記認証が成功した場合に、前記認証データを前記情報提供サーバに受け渡し、
前記情報提供サーバは、前記認証データを受け取ると、前記認証データに関連付けられた前記登録情報を抽出し、抽出した前記登録情報を、指定された前記受信側となる通信端末に送信する、
付記６に記載の認証システム装置。
【０１１２】
（付記１０）
前記認証サーバは、通信が確立されている第一の通信端末および第二の通信端末において、前記第一の通信端末が、前記第二の通信端末に対して登録情報の開示要求を行ったことに対応して、前記第二の通信端末が、前記第一の通信端末を指定して前記認証データを送信してきた場合に、送信してきた前記認証データについて認証を行い、前記認証が成功した場合に、前記認証データを前記情報提供サーバに受け渡し、
前記情報提供サーバは、前記認証データを受け取ると、前記認証データに関連付けられた前記登録情報を抽出し、抽出した前記登録情報を、指定された前記第一の通信端末に送信する、
付記６に記載の認証システム。
【０１１３】
（付記１１）
通信端末間での認証および登録情報の提供を行うための方法であって、
（ａ）いずれかの通信端末が認証データを送信してきた場合に、送信してきた前記認証データと、予め登録されている登録認証データとを比較して認証を行うステップと、
（ｂ）前記認証が成功した場合に、前記認証データに関連付けられた前記登録情報を抽出するステップと、
（ｃ）抽出した前記登録情報を、前記認証データを送信してきた通信端末と通信を行う通信端末に送信するステップと、
を有する、ことを特徴とする認証方法。
【０１１４】
（付記１２）
前記（ｂ）のステップで、通信端末の利用者毎に前記登録認証データに関連付けられた登録情報を予め保持している、データベースを用いて、前記認証データを検索キーとして検索を行なうことにより、前記登録情報を抽出する、
付記１１に記載の認証方法。
【０１１５】
（付記１３）
前記（ａ）のステップで、受信側となる通信端末が、受信時において、発信側となる通信端末に対して登録情報の開示要求を行ったことに対応して、前記発信側となる通信端末が、前記受信側となる通信端末を指定して前記認証データを送信してきた場合に、送信してきた前記認証データについて認証を行い、
前記（ｃ）のステップで、抽出した前記登録情報を、指定された前記受信側となる通信端末に送信する、
付記１１に記載の認証方法。
【０１１６】
（付記１４）
前記（ａ）のステップで、発信側となる通信端末が、発信時において、受信側となる通信端末を指定して前記認証データを送信してきた場合に、送信してきた前記認証データについて認証を行い、
前記（ｃ）のステップで、抽出した前記登録情報を、指定された前記受信側となる通信端末に送信する、
付記１１に記載の認証方法。
【０１１７】
（付記１５）
前記（ａ）のステップで、通信が確立されている第一の通信端末および第二の通信端末において、前記第一の通信端末が、前記第二の通信端末に対して登録情報の開示要求を行ったことに対応して、前記第二の通信端末が、前記第一の通信端末を指定して前記認証データを送信してきた場合に、送信してきた前記認証データについて認証を行い、
前記（ｃ）のステップで、抽出した前記登録情報を、指定された前記第一の通信端末に送信する、
付記１１に記載の認証方法。
【０１１８】
（付記１６）
コンピュータによって、通信端末間での認証および登録情報の提供を行うためのプログラムであって、
前記コンピュータに、
（ａ）いずれかの通信端末が認証データを送信してきた場合に、送信してきた前記認証データと、予め登録されている登録認証データとを比較して認証を行うステップと、
（ｂ）前記認証が成功した場合に、前記認証データに関連付けられた前記登録情報を抽出するステップと、
（ｃ）抽出した前記登録情報を、前記認証データを送信してきた通信端末と通信を行う通信端末に送信するステップと、
を実行させるプログラム。
【０１１９】
（付記１７）
前記（ｂ）のステップで、通信端末の利用者毎に前記登録認証データに関連付けられた登録情報を予め保持している、データベースを用いて、前記認証データを検索キーとして検索を行なうことにより、前記登録情報を抽出する、
付記１６に記載のプログラム。
【０１２０】
（付記１８）
前記（ａ）のステップで、受信側となる通信端末が、受信時において、発信側となる通信端末に対して登録情報の開示要求を行ったことに対応して、前記発信側となる通信端末が、前記受信側となる通信端末を指定して前記認証データを送信してきた場合に、送信してきた前記認証データについて認証を行い、
前記（ｃ）のステップで、抽出した前記登録情報を、指定された前記受信側となる通信端末に送信する、
付記１６に記載のプログラム。
【０１２１】
（付記１９）
前記（ａ）のステップで、発信側となる通信端末が、発信時において、受信側となる通信端末を指定して前記認証データを送信してきた場合に、送信してきた前記認証データについて認証を行い、
前記（ｃ）のステップで、抽出した前記登録情報を、指定された前記受信側となる通信端末に送信する、
付記１６に記載のプログラム。
【０１２２】
（付記２０）
前記（ａ）のステップで、通信が確立されている第一の通信端末および第二の通信端末において、前記第一の通信端末が、前記第二の通信端末に対して登録情報の開示要求を行ったことに対応して、前記第二の通信端末が、前記第一の通信端末を指定して前記認証データを送信してきた場合に、送信してきた前記認証データについて認証を行い、
前記（ｃ）のステップで、抽出した前記登録情報を、指定された前記第一の通信端末に送信する、
付記１６に記載のプログラム。
【産業上の利用可能性】
【０１２３】
以上のように、本発明によれば、通信端末を利用した場合において、通話者の同一性を識別することができる。よって、本発明は、電話を使用した詐欺行為、または迷惑電話の抑止などの防犯、また、通話者の身元を明らかにできるので、商談またはテレフォンショッピングに対して有用となる。
【符号の説明】
【０１２４】
１０１  認証装置
１０２  認証処理部
１０３  情報提供部
１０４  通信端末
１０５  通信端末
１０６  ネットワーク
１１０  コンピュータ
１１１  ＣＰＵ
１１２  メインメモリ
１１３  記憶装置
１１４  入力インターフェイス
１１５  表示コントローラ
１１６  データリーダ／ライタ
１１７  通信インターフェイス
１１８  入力機器
１１９  ディスプレイ装置
１２０  記録媒体
１２１  バス
２０１  通信部
２０２  制御部
２０３  入力部
２０４  ディスプレイ
４０１  認証システム
４０２  認証サーバ
４０３  情報提供サーバ
【図１】
0005495333.tif 000002
【図２】
0005495333.tif 000003
【図３】
0005495333.tif 000004
【図４】
0005495333.tif 000005
【図５】
0005495333.tif 000006
【図６】
0005495333.tif 000007
【図７】
0005495333.tif 000008